(57)【特許請求の範囲】
【請求項１】
駐車場内に複数設けた個別の駐車区域毎に設けられて駐車車両の入出庫を管理する複数の端末機と、各端末機とのデータ通信に基づいて前記各駐車区域の駐車料金を集中精算する料金精算機と、を備えた駐車場管理システムにおいて、
前記料金精算機は、利用者から駐車場を利用していることを証明する駐車利用情報の要求があり且つ利用者が駐車した駐車区域の情報を入力したときに、当該駐車区域の駐車車両の駐車料金精算前であればいつでも前記駐車利用情報を利用者に提供し、
利用者から精算処理の要求があり且つ利用者が駐車した駐車区域の情報を入力したとき、又は、前記駐車利用情報が入力されたときに精算処理を行う構成としたことを特徴とする駐車場管理システム。
【請求項２】
前記駐車利用情報が入力されたときに、さらに、利用者が駐車した駐車区域の情報が入力され、前記駐車利用情報の駐車区域の情報と前記入力された駐車区域の情報とが一致したときのみ精算処理を行う構成としたことを特徴とする請求項１に記載の駐車場管理システム。
【請求項３】
前記料金精算機は、利用者からの駐車券発行要求を受け付ける駐車券発行受付部と、
利用者が駐車した駐車区域の情報を入力する駐車区域入力部と、を備え、
前記駐車券発行受付部が利用者からの駐車券発行要求を受け付け且つ前記駐車区域入力部で利用者が駐車区域情報を入力したときに前記駐車利用情報として駐車券を発行する構成としたことを特徴とする請求項１又は２に記載の駐車場管理システム。
【請求項４】
前記料金精算機は、発行する駐車券に前記駐車区域入力部で入力された駐車区域情報を記録する構成としたことを特徴とする請求項３に記載の駐車場管理システム。
【請求項５】
前記料金精算機は、挿入された駐車券に記録された情報に基づいて駐車料金をサービスして精算する構成としたことを特徴とする請求項４に記載の駐車場管理システム。
【請求項６】
前記駐車場利用者は、携帯端末により前記要求、駐車区域の情報及び駐車利用情報を入力することを特徴とする請求項１に記載の駐車場管理システム。
【請求項７】
前記料金精算機は、前記携帯端末により駐車場を利用者していることを証明する駐車利用情報の要求があり且つ利用者が駐車している駐車区域の情報が入力されたとき、前記駐車利用情報として利用者を特定するＩＤ情報を作成し、当該ＩＤ情報を駐車区域の情報と関連付けて記憶すると共に、前記携帯端末にダウンロードすることを特徴とする請求項６に記載の駐車場管理システム。
【請求項８】
前記料金精算機はテナントチェッカーと通信可能に接続され、
前記テナントチェッカーは、テナント利用時に利用者から前記ＩＤ情報を受け取ると共に、受け取った前記ＩＤ情報を付加したサービス情報を作成し、当該サービス情報を前記料金精算機にダウンロードすることを特徴とする請求項７に記載の駐車場管理システム。
【発明の詳細な説明】
【０００１】
【発明の属する技術分野】
本発明は、駐車場内の個別の駐車区域毎に設けられて駐車車両の入出庫を管理する複数の端末機とのデータ通信により、駐車料金精算機が前記各駐車区域の駐車料金を集中精算する駐車場管理システムに関し、特に、駐車場利用者に対するサービスを向上できる駐車場管理システムに関する。
【０００２】
【従来の技術】
例えば、駐車場管理システムとして、駐車場内に複数設けた個別の駐車区域毎に駐車車両の入出庫を管理する複数の端末機を設け、各端末機と駐車料金精算機とを例えば伝送線で通信可能に接続して前記各駐車区域の駐車料金を集中精算するよう構成されたものがある。
【０００３】
このようなシステムにおける駐車料金精算機は、例えば該当する駐車区域の端末機から駐車開始時刻を呼び出して駐車時間に応じた駐車料金を精算するので、駐車場の入退場口にゲートを設けて駐車車両を管理するゲート式駐車場管理システムのように駐車場を利用していることを証明する駐車券を駐車場利用者に発行しなくても駐車時間に応じた駐車料金の精算が可能である。したがって、従来では駐車券を発行するものはなかった。
【０００４】
【発明が解決しようとする課題】
しかしながら、上述のような駐車場管理システムでは、駐車券を発行していなかったため、例えば施設利用時に駐車料金を減額する等のサービスを提供することが困難であり、駐車場利用者に対して十分なサービスを行えなかった。
また、利用者は精算時に駐車料金精算機のテンキーを操作して駐車番号を入力するため、利用者が間違って他人の駐車番号を入力してしまった場合、精算機は他人の駐車番号に基づいて精算してしまう虞れがあった。
【０００５】
本発明は、上記の事情に鑑みてなされたもので、駐車区域毎に駐車車両を管理する方式の駐車場管理システムにおける駐車場利用者に対するサービスを向上させることを目的とする。
【０００６】
【課題を解決するための手段】
このため、請求項１に係る発明は、駐車場内に複数設けた個別の駐車区域毎に設けられて駐車車両の入出庫を管理する複数の端末機と、各端末機とのデータ通信に基づいて前記各駐車区域の駐車料金を集中精算する料金精算機と、を備えた駐車場管理システムにおいて、前記料金精算機は、利用者から駐車場を利用していることを証明する駐車利用情報の要求があり且つ利用者が駐車した駐車区域の情報を入力したときに、当該駐車区域の駐車車両の駐車料金精算前であればいつでも前記駐車利用情報を利用者に提供し、利用者から精算処理の要求があり且つ利用者が駐車した駐車区域の情報を入力したとき、又は、前記駐車利用情報が入力されたときに精算処理を行う構成とした。
【０００７】
かかる構成では、料金精算機は、駐車料金精算前であればいつでも利用者の要求に応じて駐車場を利用していることを証明する駐車利用情報を提供する。そして、利用者の精算処理の要求と駐車区域の情報の入力により、又は、駐車利用情報の入力により精算処理を行う。
また、請求項２に係る発明は、前記駐車利用情報が入力されたときに、さらに、利用者が駐車した駐車区域の情報が入力され、前記駐車利用情報の駐車区域の情報と前記入力された駐車区域の情報とが一致したときのみ精算処理を行う構成とした。
かかる構成では、入力された駐車利用情報に記録されている駐車区域の情報と利用者により入力された駐車区域の情報とが一致したときのみ精算処理を行う。
また、請求項３に係る発明は、前記料金精算機は、利用者からの駐車券発行要求を受け付ける駐車券発行受付部と、利用者が駐車した駐車区域の情報を入力する駐車区域入力部と、を備え、前記駐車券発行受付部が利用者からの駐車券発行要求を受け付け且つ前記駐車区域入力部で利用者が駐車区域情報を入力したときに前記駐車利用情報として駐車券を発行する構成とした。
【０００８】
かかる構成では、料金精算機は、利用者から駐車区域情報が入力され且つ利用者からの駐車券発行要求を受け付けたときに駐車券を発行する。
また、請求項４に係る発明では、前記料金精算機は、発行する駐車券に前記駐車区域入力部で入力された駐車区域情報を記録する構成とした。
かかる構成では、料金精算機は、利用者によって入力された駐車区域情報を磁気や印字等により記録した駐車券を発行する。
【００１１】
また、請求項５に係る発明では、前記料金精算機は、挿入された駐車券に記録された情報に基づいて駐車料金をサービスして精算する構成とした。
かかる構成では、料金精算機は、発行時または発行後に駐車券に記録された情報に基づいて駐車区域の駐車料金をサービスして精算する。
また、請求項６に係る発明では、前記駐車場利用者は、携帯端末により前記要求、駐車区域の情報及び駐車利用情報を入力することを特徴とした。
【００１２】
かかる構成では、料金精算機は、利用者が所有する携帯端末からの着信で利用者からの要求を受け付け、利用者による携帯端末の操作により駐車区域の情報や駐車利用情報を受け付ける。
また、請求項７に係る発明では、前記料金精算機は、前記携帯端末により駐車場を利用者していることを証明する駐車利用情報の要求があり且つ利用者が駐車している駐車区域の情報が入力されたとき、前記駐車利用情報として利用者を特定するＩＤ情報を作成し、当該ＩＤ情報を駐車区域の情報と関連付けて記憶すると共に、前記携帯端末にダウンロードする構成とした。
かかる構成では、料金精算機は、利用者が所有する携帯端末からの着信で利用者からの駐車利用情報の要求を受け付けると、駐車利用情報としてＩＤ情報を作成して駐車区域の情報と関連付けて記憶すると共に、利用者の携帯端末に記憶情報をダウンロードする。
また、請求項８に係る発明では、前記料金精算機はテナントチェッカーと通信可能に接続され、前記テナントチェッカーは、テナント利用時に利用者から前記ＩＤ情報を受け取ると共に、受け取った前記ＩＤ情報を付加したサービス情報を作成し、当該サービス情報を前記料金精算機にダウンロードする構成とした。
かかる構成では、テナントチェッカーは、テナント利用時に利用者からＩＤ情報を受け取ると、ＩＤ情報を付加したテナントの利用に応じたサービス情報を作成し、このサービス情報を料金精算機にダウンロードする。
【００１３】
【発明の実施の形態】
以下に、本発明の実施の形態を図面に基づいて説明する。
図１は、本発明に係る駐車場管理システムの第１実施形態を適用する駐車場の例を示す図である。
駐車場１は、入場した車２が１台駐車できる複数の駐車区域３に仕切られ、各区域３には、当該区域３を区別する例えば駐車番号（図中の１、２、・・、６）が付され、駐車車両の有無や駐車時間等を管理する端末機４が設けられている。また、出入口５近傍に各区域３の駐車料金を集中精算する駐車料金精算機６が設けられている。
【００１４】
ここで、駐車料金精算機６と各端末機４は、伝送線（図示せず）等を用いて通信可能に接続されている。
図２及び図３は、第１実施形態に係る駐車料金精算機６を示した図で、図２は外観図、図３はブロック図である。
図において、駐車料金精算機６は、駐車料金精算機６の精算動作の制御を統括的に行う第１制御部７と、料金体系等、精算に必要な情報を記憶する第１メモリ８と、現在時刻を計時する第１時計ユニット９と、区域３の駐車番号を入力する駐車区域入力部としてのテンキー１０と、テンキー１０で指定された区域３の駐車料金の精算を要求する場合に利用者が操作する料金精算受付部としての精算ボタン１１と、テンキー１０の操作によって指定された区域３に駐車している車２の駐車券の発行を要求する場合に利用者が操作する駐車券発行受付部としての駐車券ボタン１２と、駐車券ボタン１２の操作があったときに第１制御部７の制御により駐車区域情報としての区域３の駐車番号を示す情報を記録した駐車券を作成すると共に、駐車券が挿入されたときに当該駐車券に記録された前記駐車番号を示す情報や駐車料金をサービスするための情報等を読み取るカード処理機１３と、駐車料金精算時に硬貨や紙幣を受付処理する硬貨処理ユニット１４および紙幣処理ユニット１５と、精算の取消を要求する場合に利用者が操作する精算取消ボタン１６と、駐車料金を表示する料金表示部１７と、投入金額を表示する投入金表示部１８と、端末機４との間でシリアルデータ通信を行うための第１データ通信部１９と、Ｉ／Ｏユニット２０と、を備えて構成される。
【００１５】
尚、図示しないが、領収書発行ボタンと、領収書等をプリントアウトするプリンタと、操作手順等を音声で案内する音声案内ユニットも、従来の駐車料金精算機と同様に備えている。
また、前記駐車券は例えば磁気カードとし、前述のように発行時には該当する駐車番号を示す情報が記録され、発行後にはテナントチェッカー等により駐車料金をサービスするための割引情報等が追加記録可能である。
【００１６】
図４は、第１実施形態に係る端末機４のブロック図である。
端末機４は、端末機４の制御を統括的に行う第２制御部２１と、区域３内の車２を検知する車両検知器２２と、現在時刻を計時する第２時計ユニット２３と、例えば駐車開始時刻等を記憶する第２メモリ２４と、区域３内の車２をロックする図１に示すフラップユニット２５をモータ駆動させるフラップ駆動部２６と、駐車料金が課金中であるか否か等の駐車情報をＬＥＤ等によって表示する未精算表示部２７と、駐車料金精算機６との間でシリアルデータ通信を行うための第２データ通信部２８と、Ｉ／Ｏユニット２９と、を備えて構成される。
【００１７】
ここで、端末機４の第２制御部２１の動作の一例を図１及び図４に基づいて簡単に説明する。
まず、車２の区域３への進入により車両検知器２２が発光部２５Ａから発光される赤外線を受光しなくなり車２の入庫を検知すると、一定時間経過後にロック板２５Ｂを上昇させて区域３内に駐車した車２が脱出できないようにする。この動作により車２が駐車したと判断し、そのときの第２時計ユニット２６の時刻を駐車開始時刻として第２メモリ２４に記憶させる。
【００１８】
また、精算時には駐車料金精算機６からの問い合わせに応じて、例えば第２メモリ２４に記憶させた駐車開始時刻を駐車料金精算機６の第１制御部７に送信する。
そして、精算が完了して駐車料金精算機６から精算完了を示す信号を受信すると、ロック板２５Ｂを降下させて車２の出庫を可能にする。
【００１９】
次に、第１実施形態に係る駐車料金精算機６の第１制御部７の動作を図５のフローチャートを用いて説明する。
ステップ１（以下、図中でＳ１で示し、以下同様とする。）において、カード処理機１３に駐車券が挿入されたか否かを判定する。判定の結果、ＮＯの場合はステップ２の動作に進み、ＹＥＳの場合は後述のステップ４の動作に進む。
【００２０】
ステップ２において、テンキー１０により、区域３に対応する駐車番号が入力されたか否かを判定する。判定の結果、ＹＥＳの場合はステップ３の動作に進み、ＮＯの場合はステップ１の動作に戻る。
ステップ３において、精算ボタン１１、駐車券ボタン１２及び精算取消ボタン１６のうち、どのボタンが操作されたのかを判定する。判定の結果、精算ボタン１１が操作された場合はステップ４の動作に進み、駐車券ボタン１２が操作された場合は後述のステップ９の動作に進み、精算取消ボタン１６が操作された場合はステップ１の動作に戻る。
【００２１】
ステップ４において、ステップ１でＹＥＳと判定した場合は、挿入された駐車券に記録されている駐車番号を示す情報に対応した区域３の端末機４に駐車開始時刻を問い合わせる。一方、ステップ３で精算ボタン１１が操作されたと判定した場合は、ステップ２で入力された駐車番号に対応する区域３の端末機４に駐車開始時刻を問い合わせる。
【００２２】
ステップ５において、第１時計ユニット９の現在時刻を読み取り、当該現在時刻とステップ４で問い合わせた駐車開始時刻とから駐車時間を算出して駐車時間に応じた駐車料金を計算する。
このとき、駐車券に例えばテナントチェッカー等により駐車料金をサービスするための情報が記録されている場合は、当該情報に基づいて駐車料金を計算する。具体的には、例えば、第１メモリ８に記憶されている料金体系から算出した金額を、駐車券に記録されている割引情報に基づいて割り引く。また、駐車券に記録されている情報に基づいて第１メモリ８に予め設定されている情報を呼び出して駐車料金をサービスする構成にしてもよい。
【００２３】
ステップ６において、ステップ５で計算した駐車料金を料金表示部１７に表示する。
ステップ７において、硬貨処理ユニット１４および紙幣処理ユニット１５から投入された投入金額とステップ５で計算した駐車料金とを比較し、駐車料金が完納であるかを判定する。判定の結果、ＹＥＳの場合はステップ８の動作に進み、ＮＯの場合はステップ７の判定動作を再度行う。
【００２４】
ステップ８において、ロック板２５Ｂを降下させて車２の出庫を可能にする等、端末機４の動作をリセットするための制御信号を第２制御部２１に送信する。ステップ３において、駐車券ボタン１２が操作されたと判定した場合、ステップ９において、ステップ２でテンキー１０から入力された駐車番号を示す情報を磁気記録した駐車券を発行する。
【００２５】
以上のように、第１実施形態では、駐車料金精算機６に駐車券発行機能を設けたので、駐車券に記録された情報に基づいて例えば施設利用時に駐車料金を減額する等のサービスを提供できるようになる。したがって、駐車場内の複数の区域３毎に駐車車両の入出庫を管理する端末機４を備えた駐車場管理システムにおける駐車場利用者に対するサービスを向上できる。
【００２６】
また、駐車券を挿入するだけで該当する区域３の駐車料金の精算を開始する構成としたので、料金精算時にテンキー１０による駐車番号の入力操作が不要になり、駐車場利用者の負担を軽減でき利用者が間違って他人の駐車番号を入力してしまうことを防止できる。そして、駐車券に駐車番号を示す情報を記録する構成なので、他人の駐車券で駐車料金のサービスを受けるというような駐車券の不正使用を防止できる。
【００２７】
さらに、駐車料金の精算をする前であれば駐車券ボタン１２の操作によっていつでも駐車券を発行できるので、駐車場利用者が駐車時に駐車券の発行要求を忘れた場合でも後で駐車券を発行することができる。これにより、駐車場利用者は、例えば施設を利用し終えた後の料金精算時に駐車券の発行操作をすることで駐車券による駐車料金を減額するサービスを受けられるようになり、駐車場利用者にとって便利になる。
【００２８】
尚、第１実施形態では、駐車料金の計算を駐車料金精算機６で行う構成としたが、端末機４で行う構成にしてもよい。この場合には、図５のステップ５の動作を省略してステップ４で端末機４に駐車料金を問い合わせる動作になる。
また、発行する駐車券を磁気カードとしたが、単に駐車番号を印字した紙カードでもよい。この場合、精算時に利用者は、駐車券に印字されている駐車番号を目視で確認してからテンキー１０を操作して該当する駐車番号を入力できるので、利用者が間違って他人の駐車番号を入力してしまうことを防止できる。
【００２９】
また、精算時に駐車券に記録された駐車番号を示す情報と利用者が入力した駐車番号とが一致したときに精算を開始する構成とすれば、駐車券の不正使用による車２の盗難等の防止対策となる。
さらに、駐車券に駐車開始時刻を記録して駐車券を発行する構成としてもよい。このような駐車券が精算機６に挿入された場合には、図５のステップ４の動作を省略できる。
【００３０】
次に、本発明に係る駐車場管理システムの第２実施形態について説明する。
本実施形態では、利用者が携帯電話を用いて前述した第１実施形態の前記駐車券に相当する駐車場を利用したことを証明する駐車利用情報を取得する構成である。
尚、駐車場及び端末機については図１で付されている符号を用いて説明する。
【００３１】
本実施形態の料金精算機６の第１制御部７は、第１実施形態で説明した機能の他に、電話機としての機能も有する。以下に、その概要を説明する。
まず、利用者が所有する携帯電話から着信があり、携帯電話の操作によって駐車番号を入力すると、前記駐車利用情報として利用者を特定するＩＤ情報を作成する。そして、作成したＩＤ情報を、駐車番号と関連付けて第１メモリ８に記憶させると共に、通話中の利用者の携帯電話にダウンロードする。
【００３２】
精算時には、携帯電話からＩＤ情報を受け取って駐車番号を特定し、駐車料金の精算を行う。
尚、例えば、精算機６とテナントに設置されているテナントチェッカー等とを通信可能に接続することで、利用者は前記ＩＤ情報に基づいて駐車料金のサービスを受けることができる。具体的には、テナントチェッカーは、テナント利用時に利用者からＩＤ情報を受け取り、受け取ったＩＤ情報を付加したサービス情報を作成する。そして、作成したサービス情報を精算機６の第１メモリ８にダウンロードする。これにより第１制御部７は前記サービス情報に基づく駐車料金を計算でき、駐車料金のサービスを行える。
【００３３】
第１メモリ８は、第１実施形態で説明したものの他に、前記ＩＤ情報や、ＩＤ情報が付加されたサービス情報等を記憶する。
第１データ通信部１９は、駐車場１内に設けられた各端末機４の他に、前述のように利用者が所有する携帯電話と通信できるように例えば電話回線にも接続される。
【００３４】
ここで、第２実施形態に係る料金精算機６の第１制御部７の動作を図６のフローチャートを参照しながら説明する。
ステップ１１において、利用者が所有する携帯電話から着信があるまで待機する。
着信があったと判定すると、ステップ１２において、利用者に精算機６の動作の選択を促す音声案内を行う。具体的には、例えば、携帯電話のボタン１を押すとＩＤ情報の登録を行い、ボタン２を押すと駐車料金の精算を行い、ボタン０を押すと取り消しを行うという内容の案内を行う。
【００３５】
ステップ１３において、利用者によって携帯電話のどのボタンが押されたのかを判定する。判定の結果、ボタン１が押されたと判定した場合はステップ１４の動作に進み、ボタン２が押されたと判定した場合は後述のステップ２１の動作に進み、ボタン０が押されたと判定した場合は携帯電話との通話を打ち切ってステップ１の動作に戻る。
【００３６】
ステップ１４において、駐車番号の入力を促す音声案内を行う。
ステップ１５において、利用者による携帯電話の操作によって、駐車番号に相当するボタンが押されるまで待機する。
駐車番号に相当するボタンが押されたと判定すると、ステップ１６において、第１メモリ８にアクセスし、ステップ１５で入力した駐車番号が第１メモリ８に既に記憶されているか否かを判定する。判定の結果、ＮＯの場合はステップ１７の動作に進み、ＹＥＳの場合は後述のステップ２０の動作に進む。
【００３７】
ステップ１７において、ステップ１５で入力した駐車番号に対応する区域３の端末機４に、例えば駐車車両２の有無を問い合わせる。
ステップ１８において、ステップ１７で問い合わせを行った端末機４からの応答に基づいて駐車車両２の有無を判定する。判定の結果、駐車車両２が有ると判定した場合はステップ１９の動作に進み、無いと判定した場合は後述のステップ２０の動作に進む。
【００３８】
ステップ１９において、ＩＤ情報を作成し、作成したＩＤ情報を、ステップ１５で入力した駐車番号と関連付けて第１メモリ８に記憶させると共に、通話中の携帯電話にダウンロードする。そして、例えばＩＤ情報の登録が完了したことを利用者に音声で伝えて携帯電話との通話を打ち切る。
ステップ１６において入力した駐車番号が既に記憶されていたり、ステップ１８において端末機４から駐車車両２が無いという応答があったりした場合は、ＩＤ情報の登録ができないと判定し、ステップ２０において、例えば、再操作を促す音声案内を行ってステップ１２の動作に戻る。
【００３９】
ステップ１３において携帯電話のボタン２が押されたと判定した場合は、ステップ２１において、ＩＤ情報を入力したか否かを判定する。判定の結果、ＹＥＳの場合はステップ２２の動作に進み、ＮＯの場合は後述のステップ２９の動作に進む。
ステップ２２において、ステップ２１で入力したＩＤ情報が、第１メモリ８に記憶されているか否かを判定する。判定の結果、ＹＥＳの場合は、ステップ２３の動作に進み、ＮＯの場合は後述のステップ２９の動作に進む。
【００４０】
ステップ２３において、通話中の携帯電話に記憶されているＩＤ情報を消去するための信号を携帯電話に送信した後、例えば利用者に駐車料金の投入を促す音声案内を行って携帯電話との通話を打ち切る。
ステップ２４において、第１メモリ８に記憶されているＩＤ情報と対応する駐車番号の区域３に設置された端末機４に駐車開始時刻を問い合わせる。
【００４１】
ステップ２５において、第１時計ユニット９の現在時刻を読み取り、当該現在時刻とステップ２４で問い合わせた駐車開始時刻とから駐車時間を算出して駐車時間に応じた駐車料金を計算する。
このとき、例えば、精算前にＩＤ情報が付加されたサービス情報がテナントチェッカー等から送信され、当該サービス情報が第１メモリ８に記憶されている場合は、当該サービス情報に基づいて駐車料金を計算する。
【００４２】
ステップ２６において、ステップ２５で計算した駐車料金を料金表示部１７に表示する。
ステップ２７において、硬貨処理ユニット１４および紙幣処理ユニット１５から投入された投入金額とステップ２５で計算した駐車料金とを比較し、駐車料金が完納であるかを判定する。判定の結果、ＹＥＳの場合はステップ２８の動作に進み、ＮＯの場合はステップ２７の判定動作を再度行う。
【００４３】
ステップ２８において、ロック板２５Ｂを降下させて車２の出庫を可能にする等、端末機４の動作をリセットするための制御信号を端末機４に送信する。また、該当する駐車番号のＩＤ情報を第１メモリ８から消去する。
ステップ２１においてＩＤ情報が入力されなかったり、ステップ２２においてＩＤ情報が第１メモリ８に記憶されていなかったりした場合は、ＩＤ情報による精算ができないと判定し、ステップ２９において、例えばテンキー１０の操作による精算を促す音声案内を行って、携帯電話との通話を打ち切る。
【００４４】
以上のように、第２実施形態では、料金精算機６は、携帯電話にＩＤ情報を記憶させ、精算時に当該ＩＤ情報を受け取って駐車料金を精算する構成としたので、ＩＤ情報が第１実施形態における駐車券に相当する役割を果たすようになる。したがって、第１実施形態と同様、例えば施設利用時に駐車料金を減額する等のサービスを利用者に提供したり、精算時にテンキー１０による駐車番号の入力操作を不要にしたりすることができ、駐車場利用者に対するサービスを向上できる。
【００４５】
尚、本実施形態では、携帯電話と料金精算機６との通話によってＩＤ情報の登録や料金精算を行う構成としたが、携帯電話も含めた携帯端末と料金精算機６との間で例えば赤外線通信を行って前述のようなＩＤ情報の登録や料金精算を行う構成としてもよい。この場合、携帯端末及び精算機６双方に赤外線ポートを設け、ＩＤ情報の登録時や精算時に互いの赤外線ポートを向かい合わせて通信を行う構成となることは言うまでもない。
【００４６】
また、料金精算機６と通信を行うことができればよく、例えば非接触ＩＣカードを使用してもよい。
そして、中央センタで複数の料金精算機６を管理するシステムでは、中央センタを経由して利用者と精算機６との情報交換を行う構成としてもよい。
さらに、第１実施形態と同様、駐車料金の計算を端末機４で行う構成にしてもよい。
【００４７】
【発明の効果】
以上説明したように、請求項１に係る発明によれば、料金精算機が駐車場を利用していることを証明する駐車利用情報を利用者に提供し、提供された駐車利用情報が精算時に利用できるので、駐車場内の複数の区域毎に端末機を設けて駐車車両の入出庫を管理する駐車場管理システムにおいて、駐車場利用者に対して駐車料金を減額する等のサービスを提供することが可能となる。また、駐車料金の精算前であればいつでも駐車利用情報を提供できるので、利用者が駐車時に駐車利用情報の要求を忘れた場合でも精算前に駐車利用情報を要求することで駐車料金を減額するサービスを受けられるようになり、駐車場利用者にとって便利である。
【００４８】
請求項２に係る発明によれば、駐車券の不正使用による車の盗難等の防止対策となる。
請求項３に係る発明によれば、料金精算機に駐車券発行機能を設けたので、駐車券に基づいて駐車料金を減額する等のサービスを提供することが可能となる。また、駐車券発行受付部が駐車券発行要求を受け付けたときに駐車券を発行するので、駐車料金が精算される前であればいつでも駐車券を発行でき、駐車場利用者にとって便利になる。
【００４９】
請求項４に係る発明によれば、駐車券に駐車区域情報を記録するので、他人の駐車券でサービスを受けるというような駐車券の不正使用等を防止できる。
【００５０】
請求項５に係る発明によれば、駐車券に記録された情報に基づいて駐車料金をサービスするので、駐車場内の複数の区域毎に駐車車両の入出庫を管理する駐車場管理システムにおける駐車場利用者に対するサービスをより向上できる。
【００５１】
請求項６に係る発明によれば、利用者は、携帯端末を操作することで精算機まで行かなくても駐車場を利用していることを証明する駐車利用情報を受け取ることができ、また、駐車料金も精算できるようになる。
請求項７に係る発明によれば、利用者の要求によりＩＤ情報を作成するので、携帯端末を所有していればどの人でも駐車場利用時には駐車料金のサービスを受けることが可能である。
請求項８に係る発明によれば、テナント利用に伴うサービス情報に基づいて駐車料金のサービスを利用者に行えるようになる。
【図面の簡単な説明】
【図１】本発明に係る駐車場管理システムの第１実施形態を適用する駐車場の例を示す図
【図２】同上実施形態に係る駐車料金精算機の外観図
【図３】同上実施形態に係る駐車料金精算機のブロック図
【図４】同上実施形態に係る端末機のブロック図
【図５】同上実施形態の駐車料金精算機の動作フローチャート
【図６】本発明に係る駐車場管理システムの第２実施形態の駐車料金精算機の動作フローチャート
【符号の説明】
１            駐車場
３        駐車区域
４        端末機
６        駐車料金精算機
７        第１制御部
１０      テンキー
１１      精算ボタン
１２      駐車券ボタン
１３      カード処理機
【図１】
0003569676.tif 000002
【図２】
0003569676.tif 000003
【図３】
0003569676.tif 000004
【図４】
0003569676.tif 000005
【図５】
0003569676.tif 000006
【図６】
0003569676.tif 000007